(57)【特許請求の範囲】
【請求項１】
強く握ることに対して心理的抵抗が生じる対象物が表示された写真もしくは写実的なイラストが、外表面の少なくとも前面側の使用者が握ったときに利き手がかかる位置に表されるゴルフクラブ用グリップ。
【請求項２】
前記写真もしくは写実的なイラストは少なくとも一部が利き手の親指の先から先端側に存するように表されるものである請求項１に記載のゴルフクラブ用グリップ。
【請求項３】
前記外表面に表されるのは写実的なイラストであって、当該イラストは前記外表面を彫って着色することにより表されるものである請求項１又は２に記載のゴルフ用グリップ。
【請求項４】
前記写真もしくは写実的なイラストが表される位置は透明に形成されるとともに、当該透明部分の内側面もしくは当該透明部分の内側面に設置されるシート体に、前記写真もしくは写実的なイラストが表される請求項１又は２に記載のゴルフ用グリップ。
【請求項５】
前記透明部分の内面側に設置されるシート体に、前記写真もしくは写実的なイラストが表されるものであって、当該シート体は交換可能に形成されるものである請求項４に記載のゴルフ用グリップ。
【請求項６】
請求項１〜５のいずれか１項に記載のゴルフクラブ用グリップを装着したゴルフクラブ。
【発明の詳細な説明】
【技術分野】
【０００１】
本発明は、ゴルフクラブ用のグリップに関し、特に、強く握ることを抑制するためのものに関する。
【背景技術】
【０００２】
ゴルフクラブのスイングにおいて、グリップの握りを強くし過ぎると、腕や肩に力が入ってしまい良いスイングをすることはできないことが多いので、グリップを柔らかく握ることが推奨されている。従って、一般的にはスイングの際にはグリップを強く握らないように意識することが求められる。
【発明の概要】
【発明が解決しようとする課題】
【０００３】
しかしながら、ゴルフを始めたばかりの初心者はグリップを強く握りすぎないようにすることを忘れがちであり、適切なグリップができないままスイング練習をし続けることも多い。現在、これを改善する有効な方法はなく、強く握らないように意識するといった方法でしか対応できない。
本発明は、このような現状に鑑みて、ゴルフクラブのグリップを強く握ることを抑制することができるゴルフクラブ用のグリップを提供することを課題とする。
【課題を解決するための手段】
【０００４】
上記課題を解決するために、本発明は次のような構成を有する。
請求項１に記載の発明は、強く握ることに対して心理的抵抗が生じる対象物が表示された写真もしくは写実的なイラストが、外表面の少なくとも前面側の使用者が握ったときに利き手がかかる位置に表されるゴルフクラブ用グリップである。なお、心理的抵抗が生じる対象物としては、小鳥、リス、子犬、子猫などの強く握ると死ぬ恐れがある動物、卵、豆腐などの強く握ると壊れる恐れがある物、ガラスの破片、剣山などの強く握ることで怪我をする恐れがある突起物、刃物、乳幼児、子供などの慈しみの感情が生じるもの、ゴキブリ、ムカデ、さそりなどの強く握ることに不快感が生じる生き物などが例示される。また、写真には画像処理されたものが含まれ、写実的なイラストにはグリップに表示した状態において写実的となるものが含まれる。
請求項２に記載の発明は、前記ゴルフ用グリップにおいて、前記写真もしくは写実的なイラストは少なくとも一部が使用者が握ったときに利き手の親指の先から先端側に存するように表されるものである
請求項３に記載の発明は、前記ゴルフ用グリップにおいて、前記外表面に表されるのは写実的なイラストであって、当該イラストは前記外表面を彫って着色することにより表されるものである。
請求項４に記載の発明は、請求項１又は２に記載のゴルフ用グリップにおいて、前記写真もしくは写実的なイラストが表される位置は透明に形成されるとともに、当該透明部分の内側面もしくは当該透明部分の内側面に設置されるシート体に、前記写真もしくは写実的なイラストが表されるものである。
請求項５に記載の発明は、請求項４に記載のゴルフ用グリップにおいて、前記透明部分の内面側に設置されるシート体に、前記写真もしくは写実的なイラストが表されるものであって、当該シート体は交換可能に形成されるものである。
請求項６に記載の発明は前記ゴルフクラブ用グリップを装着したゴルフクラブである。
【発明の効果】
【０００５】
請求項１に記載の発明は、グリップ前面側の少なくとも利き手にかかる位置に強く握ることに心理的抵抗が生じる写真やイラストを表すことで、グリップを握る際に当該写真やイラストが目に入り、たとえ強く握りすぎないようにすることを意識していなくても、強く握ることに対して無意識的に心理的な抑制を加えることができる。
請求項２に記載の発明は、写真又はイラストがグリップを握った状態でも表出して眼に入るので、グリップを強く握り過ぎない効果をより発揮することができる。
請求項３に記載の発明は、グリップ表面にイラストを彫って着色することで、単に表面に着色している場合に比較して、イラストが消えにくくより長期間使用することができる。
請求項４に記載の発明は、透明部分の内側に写真等が存在するので、表面から写真等に直接触れることができないので、やはり、写真等が消えにくく長期間使用することができる。
請求項５に記載の発明は、写真等が表されたシートを交換できるので使用者の嗜好に合わせて効果的な対象物が表示された写真等を自由に選択することで使用者に合わせて柔軟に効果を調節することができる。
請求項６に記載の発明は、上述した効果を奏するゴルフクラブを得ることができる。
【図面の簡単な説明】
【０００６】
【図１】実施形態に係るゴルフクラブ用グリップの部分拡大図である。
【図２】イラストの原画を示す図である。
【図３】実施形態に係るゴルフクラブ用グリップを装着したゴルフクラブを握った状態を示す部分拡大図である。
【図４】変形例に係るゴルフクラブ用グリップの分解斜視図である。
【発明を実施するための形態】
【０００７】
以下、本発明の実施の形態について、図面を参照しながら説明する。
図１に本実施形態に係るゴルフクラブ用グリップXの部分拡大図を示す。ゴルフクラブ用グリップＸは一般的なゴルフクラブ用グリップと同じ素材、形状を有するものである。即ち、ゴム製の後端側が閉じられた筒体からなり、ゴルフクラブの後端に嵌るような内径を有する。そして、ゴルフクラブ用グリップＸの外表面には強く握ることに対して心理的抵抗が生じる対象物として小鳥の写実的なイラスト１０がプリントされている。なお、当該イラスト１０は円柱状の外表面を有するグリップ表面に印刷した状態で写実的に見えるように、図２に示すようにグリップの長手方向に直角な方向に引き伸ばされたイラストを用いている。また、ゴルフクラブ用グリップＸの外表面はイラストが見えやすいように下地を白く形成している。図３にゴルフクラブ用グリップＸを装着したゴルフクラブを使用者が握った状態の部分拡大図を示す。図に示すようにイラスト１０が表される位置は、グリップを正しい位置で握ったときの前面側で、一部が親指の先から先端側に表出し、残りが握られた手の中に存するような位置である。
【０００８】
このような構成を有するゴルフクラブ用グリップＸを装着したゴルフクラブを用いると、使用者がグリップを握る際に、強く握ることに対して心理的抵抗が生じる対象物が表示されたイラスト１０が眼に入るので、グリップを強く握りしめることを意識しなくても抑制することができる。
【０００９】
なお、上記実施形態では、強く握ることに対して心理的抵抗が生じる対象物として、強く握ると死ぬ恐れがある小鳥を例示しているが、他の強く握ると死ぬ恐れがある動物（リス、子犬、子猫）などを選択してもよい。さらに、強く握ると壊れる恐れがある物（卵、豆腐など）や、強く握ることで怪我をする恐れがある突起物、刃物（ガラスの破片、剣山）、慈しみの感情が生じるもの（乳幼児、子供）、握ることに不快感が生じる生き物（ゴキブリ、ムカデ、さそり）等、適宜選択することができる。
また、上記実施形態では強く握ることに対して心理的抵抗が生じる対象物を写実的なイラストで表しているが、実物を写真に撮ったものを用いてもよい。さらに、平面的なプリントに限らず、グリップ表面を彫って、着色することでイラストを表すこともできる。
【００１０】
それから、ゴルフクラブ用グリップＸの表面に透明な部分を形成し、この透明な部分の裏にイラスト等を表したり、イラスト等を表したシートを位置づけたりすることで写真やイラストを表すことができる。具体例を図４に示す。図示すゴルフクラブ用グリップＹは、写真等が表されるべき位置の外表面が一定の厚さで除去された凹所２０を形成するとともに、当該凹所２０に嵌る形状を有する透明なプラスチック板３０を嵌めるようにし、凹所２０の底とプラスチック板３０の間に強く握ることに対して心理的抵抗が生じる対象物を表示した写真等が表されたシート４０を挟むものである。このような構造を有するゴルフクラブ用グリップＹはプラスチック板３０を外してシート４０を交換できるので使用者が適宜、対象物が表示されたシート４０に交換すれば、使用者の嗜好や性格に合わせてより効果的にグリップを強く握ることを抑制することができる。
【符号の説明】
【００１１】
Ｘ、Ｙ  ゴルフクラブ用グリップ
１０  イラスト
２０  凹所
３０  プラスチック板
４０  シート
【要約】
【課題】ゴルフクラブのグリップを強く握ることを抑制することができるゴルフクラブ用のグリップを提供することを課題とする。
【解決手段】ゴルフクラブ用グリップとして、強く握ることに対して心理的抵抗が生じる対象物が表示された写真もしくは写実的なイラストを、外表面の少なくとも前面側の使用者が握ったときに利き手がかかる位置に表すようにし、望ましくは、前記写真もしくは写実的なイラストを少なくとも一部が利き手の親指の先から先端側に存するように表すようにする。
【選択図】  図１【図１】
0005392875.tif 000002
【図２】
0005392875.tif 000003
【図３】
0005392875.tif 000004
【図４】
0005392875.tif 000005